(57)【要約】【課題】面光源ユニットをつねに適正にセットし、透過原稿を有効に保護する画像読取装置を提供する。【解決手段】透過原稿と透過原稿ガイドユニット１０２とを設置するための透明な原稿台４と、透過原稿を原稿台４上の所定位置に設置するための透過原稿ガイドユニット１０２と、透過原稿ガイドユニット１０２に接して複数位置に設置可能で、透過原稿を照明するための面光源を有する光源ユニット１０３と、透過原稿の画像を原稿台４を介して読み取る画像読取ユニット１と、を有する。透過原稿は、原稿台４上に設置された透過原稿ガイドユニット１０２の内側でかつ原稿台４に接して設置され、光源ユニット１０３の発光面が透過原稿に接して、透過原稿を原稿台４上に押圧する。【選択図】　　　　図１
2004085926.tif 000002
【特許請求の範囲】
【請求項１】
透過原稿が設置される原稿台と、
前記透過原稿を前記原稿台上の所定位置に設置するための透過原稿ガイドユニットと、
前記透過原稿ガイドユニットに対して複数位置で設置可能に構成され、前記透過原稿を照明するための面光源を有する光源ユニットと、
前記透過原稿の画像を前記原稿台を介して読み取る画像読取ユニットとを有し、
前記透過原稿は、前記原稿台上に設置された前記透過原稿ガイドユニットの内側でかつ前記原稿台に接して設置され、
前記光源ユニットの発光面が前記透過原稿に接して、前記透過原稿を前記原稿台上に押圧することを特徴とする画像読取装置。
【請求項２】
前記光源ユニットの自重により前記透過原稿を前記原稿台上に押圧することを特徴とする請求項１に記載の画像読取装置。
【請求項３】
前記光源ユニットの有効照射面は、前記透過原稿に含まれる複数画像のうちの１つの画像全面よりも大きく、前記複数画像の全体よりは小さく設定されたことを特徴とする請求項１または２に記載の画像読取装置。
【請求項４】
前記画像読取ユニットは、焦点を結ぶためのレンズがロッドレンズアレイを含むことを特徴とする請求項１〜３のいずれか１項に記載の画像読取装置。
【請求項５】
前記光源ユニットおよび前記透過原稿ガイドユニットが相互に接する面に滑り止め手段を有することを特徴とする請求項１〜４のいずれか１項に画像読取装置。
【請求項６】
前記滑り止め手段は、三角形または波型、あるいはそれらに類似の組み合わせ可能な形状が連続した形状を有し、前記光源ユニットおよび前記透過原稿ガイドユニットの両方に連続もしくは不連続で多数個施してなることを特徴とする請求項５に記載の画像読取装置。
【請求項７】
前記滑り止め手段は、柔軟で摩擦係数の大きい部材を前記光源ユニットと前記透過原稿ガイドユニットの両方あるいは片方に貼り付けてなることを特徴とする請求項５に記載の画像読取装置。
【請求項８】
前記透過原稿ガイドユニットは複数コマの画像を持つ透過原稿が設置可能であり、前記光源ユニットの有効照射領域の最大幅は、前記透過原稿ガイドユニットに設置可能な最大透過原稿全体の有効画像領域の長辺よりも短いことを特徴とする請求項５〜７のいずれか１項に記載の画像読取装置。
【請求項９】
前記透過原稿ガイドユニットは、透過原稿の設置基準手段と画像位置マークを有し、前記光源ユニットは、前記透過原稿ガイドユニットの画像位置マークに対応する画像位置合わせマークを有することを特徴とする請求項５〜８のいずれか１項に記載の画像読取装置。
【請求項１０】
前記画像読取ユニットは、前記原稿台上に載置された反射原稿に光源光を照射し、その原稿面からの反射光を光電変換して画像を読み取るように構成されていることを特徴とする請求項５〜９のいずれか１項に記載の画像読取装置。
【請求項１１】
前記透過原稿と前記透過原稿ガイドユニットと前記光源ユニットとの相対位置を定める位置決め手段を有し、
前記光源ユニットが前記位置決め手段の位置決めによって、前記透過原稿に含まれる複数画像のうちの任意の少なくとも１つの画像全面を照射可能としたことを特徴とする請求項１〜１０のいずれか１項に記載の画像読取装置。
【請求項１２】
前記位置決め手段は、前記透過原稿を前記透過原稿ガイドユニットに対して位置決めするための規制部を含むことを特徴とする請求項１１に記載の画像読取装置。
【請求項１３】
前記位置決め手段は、前記透過原稿ガイドユニットおよび前記光源ユニット間に設けた凹凸部を含むことを特徴とする請求項１１または１２に記載の画像読取装置。
【請求項１４】
前記光源ユニットの発光面側における外周の一部または全部に、アール加工が施されたことを特徴とする請求項１〜１３のいずれか１項に記載の画像読取装置。
【請求項１５】
前記光源ユニットが前記透過原稿に接する面の外周の一部または全部に、アール加工が施されたことを特徴とする請求項１４に記載の画像読取装置。
【請求項１６】
前記透過原稿ガイドユニットの記原稿台と対向する側において、前記透過原稿ガイドユニットに形成された矩形穴の外周に沿って弾性部材を有することを特徴とする請求項１〜１５のいずれか１項に記載の画像読取装置。
【発明の詳細な説明】
【０００１】
【発明の属する技術分野】
本発明は、複数個の光電変換素子を直線状に配置した画像読取ユニットを使用して、写真フィルムなどの透過原稿を読み取る機能を持った画像読取装置に関する。
【０００２】
【従来の技術】
従来、写真フィルムなどの透過原稿を、原稿台ガラスを有するフラットベッド方式の画像読取装置で読み取る場合には、透過原稿ガイドユニットに透過原稿を設置して原稿台ガラスに設置して、透過原稿の上から面光源ユニットで照射する方式が主流である。この方式の画像読取装置においては一般に、焦点が最も合っている位置は原稿台ガラス上面０ｍｍの位置、すなわち原稿台ガラスに接する位置となるように設計する。読み取るべき主な原稿が反射原稿であると想定しているからである。そして、透過原稿の場合は透過原稿用ガイドによって、原稿台ガラス面から０．５ｍｍほど浮かして設置するのが一般的であった。
【０００３】
この方式は、ＣＣＤを用いた縮小光学系のレンズの場合には、被写界深度が深く、原稿台ガラスと透過原稿の距離が０．５ｍｍ程度あっても実用上問題なかった。また、透過原稿の反りが多少あっても問題にならなかった。
【０００４】
【発明が解決しようとする課題】
ところが近年、小型化を目的として、ロッドレンズアレイを用いた等倍光学系の読取ユニットが登場している。ロッドレンズアレイは被写界深度が浅いため、原稿台ガラスと透過原稿の距離が０．５ｍｍ程度あったり、透過原稿に反りがあると、焦点がぼやけてしまうという問題がある。
【０００５】
本発明はかかる実情に鑑み、透過原稿の画像を有効かつ適正に読み取り得る画像読取装置を提供することを目的とする。
【０００６】
【課題を解決するための手段】
本発明の画像読取装置は、透過原稿が設置される原稿台と、前記透過原稿を前記原稿台上の所定位置に設置するための透過原稿ガイドユニットと、前記透過原稿ガイドユニットに対して複数位置で設置可能に構成され、前記透過原稿を照明するための面光源を有する光源ユニットと、前記透過原稿の画像を前記原稿台を介して読み取る画像読取ユニットとを有し、前記透過原稿は、前記原稿台上に設置された前記透過原稿ガイドユニットの内側でかつ前記原稿台に接して設置され、前記光源ユニットの発光面が前記透過原稿に接して、前記透過原稿を前記原稿台上に押圧することを特徴とする。
【０００７】
本発明の画像読取装置において、前記光源ユニットの自重により前記透過原稿を前記原稿台上に押圧することを特徴とする。
【０００８】
本発明の画像読取装置において、前記光源ユニットの有効照射面は、前記透過原稿に含まれる複数画像のうちの１つの画像全面よりも大きく、前記複数画像の全体よりは小さく設定されたことを特徴とする。
【０００９】
本発明の画像読取装置において、前記画像読取ユニットは、焦点を結ぶためのレンズがロッドレンズアレイを含むことを特徴とする。
【００１０】
本発明の画像読取装置において、前記光源ユニットおよび前記透過原稿ガイドユニットが相互に接する面に滑り止め手段を有することを特徴とする。
【００１１】
本発明の画像読取装置において、前記滑り止め手段は、三角形または波型、あるいはそれらに類似の組み合わせ可能な形状が連続した形状を有し、前記光源ユニットおよび前記透過原稿ガイドユニットの両方に連続もしくは不連続で多数個施してなることを特徴とする。
【００１２】
本発明の画像読取装置において、前記滑り止め手段は、柔軟で摩擦係数の大きい部材を前記光源ユニットと前記透過原稿ガイドユニットの両方あるいは片方に貼り付けてなることを特徴とする。
【００１３】
本発明の画像読取装置において、前記透過原稿ガイドユニットは複数コマの画像を持つ透過原稿が設置可能であり、前記光源ユニットの有効照射領域の最大幅は、前記透過原稿ガイドユニットに設置可能な最大透過原稿全体の有効画像領域の長辺よりも短いことを特徴とする。
【００１４】
本発明の画像読取装置において、前記透過原稿ガイドユニットは、透過原稿の設置基準手段と画像位置マークを有し、前記光源ユニットは、前記透過原稿ガイドユニットの画像位置マークに対応する画像位置合わせマークを有することを特徴とする。
【００１５】
本発明の画像読取装置において、前記画像読取ユニットは、前記原稿台上に載置された反射原稿に光源光を照射し、その原稿面からの反射光を光電変換して画像を読み取るように構成されていることを特徴とする。
【００１６】
本発明の画像読取装置において、前記透過原稿と前記透過原稿ガイドユニットと前記光源ユニットとの相対位置を定める位置決め手段を有し、前記光源ユニットが前記位置決め手段の位置決めによって、前記透過原稿に含まれる複数画像のうちの任意の少なくとも１つの画像全面を照射可能としたことを特徴とする。
【００１７】
本発明の画像読取装置において、前記位置決め手段は、前記透過原稿を前記透過原稿ガイドユニットに対して位置決めするための規制部を含むことを特徴とする。
【００１８】
本発明の画像読取装置において、前記位置決め手段は、前記透過原稿ガイドユニットおよび前記光源ユニット間に設けた凹凸部を含むことを特徴とする。
【００１９】
本発明の画像読取装置において、前記光源ユニットの発光面側における外周の一部または全部に、アール加工が施されたことを特徴とする。
【００２０】
本発明の画像読取装置において、前記光源ユニットが前記透過原稿に接する面の外周の一部または全部に、アール加工が施されたことを特徴とする。
【００２１】
本発明の画像読取装置において、前記透過原稿ガイドユニットの記原稿台と対向する側において、前記透過原稿ガイドユニットに形成された矩形穴の外周に沿って弾性部材を有することを特徴とする。
【００２２】
本発明の構成の一態様によれば、透過原稿ガイドユニットは原稿台上に設置され、透過原稿は透過原稿ガイドユニットの矩形穴の内側でかつ、原稿台に接して設置される。面光源の有効照射領域を含む光源ユニットの一部分が透過原稿に接して、透過原稿を原稿台上に押圧することで、透過原稿の反りを矯正し、焦点の設計中心位置である原稿台ガラス上の０ｍｍ位置に透過原稿を設置することができる。
【００２３】
また、本発明の別の態様によれば、光源ユニットは透過原稿の所望の画像位置に合わせるために、光源ユニットを手動で移動して透過原稿上に設置する方式であり、かつ光源ユニットが透過原稿に直接、接するように設置する方式である。画像読取ユニットを走査して透過原稿の画像を読み込むが、光源ユニットと透過原稿ガイドユニットとは、お互いを組み合わせた場合に接する面に横滑り防止加工を施すことで、光源ユニットの設置時や設置後に光源ユニットが透過原稿上を横滑りして透過原稿を傷つけたり、照射位置がずれることを防ぐ。
【００２４】
また、本発明のさらに別の態様によれば、透過原稿と透過原稿ガイドユニットと光源ユニットとの相対位置を定める位置決め手段を有する。光源ユニットが位置決め手段の位置決めによって、透過原稿に含まれる複数画像のうちの任意の少なくとも１つの画像全面を照射可能とすることで、操作者は容易に所望の画像に光源ユニットを位置合わせすることができる。
【００２５】
また、本発明のさらに別の態様によれば、光源ユニットが透過原稿に接する面の外周の一部または全部に、アール加工が施されたことで、外周部分への集中加重を分散させる。これにより光源ユニットの設置時や設置後において、光源ユニットが透過原稿を傷つけるのを有効に防止することができる。
【００２６】
また、本発明のさらに別の態様によれば、透過原稿ガイドユニットに形成された矩形穴の外周に沿って弾性部材を有することで、透過原稿ガイドユニットと原稿台との隙間をなくし、透過原稿が透過原稿ガイドユニットの下に潜り込むを防止することができる。この場合、弾性部材の摩擦係数が大きいため、かかる防止効果を高めることができる。
【００２７】
【発明の実施の形態】
以下、図面に基き、本発明による画像読取装置における好適な実施の形態を説明する。
（第１の実施形態）
図１は本発明の第１の実施形態の画像読取装置を表す図面であり、同図において、１は読み取りユニット、２はステッピングモーター、３はベルト、４は原稿台ガラス、５は制御基板、６は３５ｍｍ写真フィルム、７は白色基準板兼原稿規制板、８はフラットケーブル、９は外部コンピューター、１０１は読み取りユニット１を取り付けるホルダー、１０２は３５ｍｍ写真フィルム６を固定するフィルムガイド、１０３はフィルム用光源ユニット、１０４は１０３と制御基板５を接続するためのケーブル、１０５は原稿規制板である。
【００２８】
図２は、読み取りユニット１の構成図であり、１０は赤色ＬＥＤ、１１は緑色ＬＥＤ、１２は青色ＬＥＤ、１３は導光体、１４は光電変換素子アレイ、１５はロッドレンズアレイ、１６は光電変換素子を取り付ける基板である。
【００２９】
つぎに、装置動作の概要を説明する。
制御基板５によりステッピングモーター２が駆動される。この駆動力はベルト３によってホルダー１０１、すなわち読み取りユニット１に伝達され、読み取りユニット１は原稿台ガラス４に沿って連続的に移動しながら原稿台ガラス４上に置かれた被写体を走査する。
【００３０】
読み取りユニット１に取り付けられた光電変換素子アレイ１４は図２に示されるように、読み取りユニット１の長軸方向に沿って配置されている。本実施形態の場合、Ａ４サイズ原稿の短手方向に２４００ＤＰＩ相当の密度を持つ読み取りユニットであり、光電変換素子アレイ１４が８個、直線状に配置されている。光電変換素子アレイ１４の１個あたりの素子数は２５７６素子であり、合計で２０６０８画素分の光電変換素子が基板１６上に並んでいる。
【００３１】
ここでまず、原稿台ガラス４上に置かれた被写体が反射原稿（図示せず）の場合を説明する。
赤色ＬＥＤ１０、緑色ＬＥＤ１１および青色ＬＥＤ１２の光は、導光体１３で読み取りユニット１の長軸方向に分散されながら、かつガラス上面に到達する。この光はガラス上面に置かれた反射原稿で拡散反射され、ロッドレンズアレイ１５により集光されて光電変換素子１４上に投射される。ロッドレンズアレイ１５は、反射原稿の画像を等倍で光電変換素子アレイ１４上に投射する。反射原稿で反射したＬＥＤ１０，１１，１２の光を受けて、光電変換素子アレイ１４には電荷が蓄積され、つぎの周期の読み取り開始パルス（Ｈｓｙｎｃ）で光電変換素子アレイ１４内の転送部に保存され、素読み取りクロック（Ｃｌｏｃｋ）によって１画素毎の電気信号として出力される。
【００３２】
赤色ＬＥＤ１０、緑色ＬＥＤ１１および青色ＬＥＤ１２の点灯は、読み取り開始パルス（Ｈｓｙｎｃ）毎に切り換えられる。読み取りユニット１の移動に連れて、各ＬＥＤ１０，１１，１２を順次点灯させる。各ＬＥＤ１０，１１，１２によって色分解されて検出された画像信号は、フラットケーブル８を通して制御基板５から外部コンピューター９に送られ、外部コンピューター９内で画像処理が行われる。
【００３３】
図３は、ロッドレンズアレイ１５の被写界深度を表した図である。図３（ａ）中のＴＣは、ロッドレンズ１５を側面から見た場合の焦点位置を表す。この例ではＴＣ＝１５．１ｍｍである。図３（ｂ）のグラフは、焦点位置からΔＬ離れたときのＭＴＦの変化を示す。
【００３４】
ここで、ＭＴＦの計算式は次の（１）式で表される。
2004085926.tif 000003
この実施形態では、図３（ｃ）中に示す１７０μｍ毎にならんだ白と黒の線が描かれた原稿と、それを読み取った画像から算出する。読み取った画像データの白濃度最小値と黒濃度最大値と、原稿の濃度を基準白濃度と基準黒濃度として算出する。
【００３５】
ＭＴＦは解像力を示す指標であるが、ΔＬが大きくなると像がぼやけてＭＴＦ値が低下してくる。本実施形態の１７０μｍ毎の線の原稿で測定した場合では、ＭＴＦが４０％以上が実用範囲内である。図３（ｂ）のグラフから分かるように、ＭＴＦはΔＬ＝０ｍｍの時にピークになり、約８２％あるが、その位置から約０．２５ｍｍ離れると、ＭＴＦ値が約４０％以下になってしまう。
【００３６】
本実施形態の画像読取装置は、反射原稿を主な原稿と想定して、原稿台ガラス４上面をΔＬ＝０になるように設計している。このことから、３５ｍｍ写真フィルム６のような透過原稿の場合にも、原稿台ガラス４に接するように設置することが望ましい。
【００３７】
つぎに、３５ｍｍ写真フィルムを読み取る場合を説明する。
図４は、３５ｍｍ写真フィルム６を読み取る場合に用いるフィルム用光源ユニット１０３およびフィルムガイド１０２の構成図であり、図５はフィルム用光源ユニット１０３およびフィルムガイド１０２を原稿台側から見た裏面図であり、２９は有効照射面、３０はゴム材を示す。図６は設置状態における長手方向からの側面図、図７は短手方向からの側面図であり、設置時の３５ｍｍ写真フィルム６の反りを矯正する様子を示す。
【００３８】
フィルム用光源ユニット１０３は拡散板１７、フィルム用赤色ＬＥＤ１８、フィルム用緑色ＬＥＤ１９およびフィルム用青色ＬＥＤ２０を内部に持つ。本実施形態の拡散板１７は例えば特開２００１−３４２１０号公報に記載の面光源を用いることができる。各ＬＥＤの光は拡散板１７で拡散され、図中の拡散板下面から均一の光が発せられる。この実施形態の拡散板１７は、図５の有効照射面２９の領域であり、その大きさが５０ｍｍ×２５ｍｍであり、３５ｍｍ写真フィルム６の１コマ分の有効画像領域：約３６ｍｍ×２４ｍｍを照射することができる。
【００３９】
フィルムガイド１０２は、６コマの連なった３５ｍｍ写真フィルム６を配置可能な矩形穴を有する枠部材であり、原稿台ガラス４上に置かれる。矩形穴の内側の裏面には、図５に示すように弾性部材であるゴム材３０が貼り付けられている。この機能については図７と図８を用いて後述する。３５ｍｍ写真フィルム６は、フィルムガイド１０２の矩形穴の内側で原稿台ガラス４に接して置かれる。図４に示す矩形穴の内側の寸法Ａは３５ｍｍで、３５ｍｍ写真フィルム６がちょうど収まる寸法である。
【００４０】
フィルム用光源ユニット１０３は、３５ｍｍフィルム上面の所望の位置にユーザーが手動で設置する。この場合、フィルムガイド１０２の矩形穴内側の設置基準マーク２４に、３５ｍｍ写真フィルム６の端部を合わせて設置する。そして、フィルムガイド１０２側面のコマ位置指示マーク２１とフィルム用光源ユニット１０３の側面のコマ位置指示マーク２１′を合わせて設置することで、３５ｍｍ写真フィルム６の内の１コマの有効画像領域をフィルム用光源ユニット１０３の面光源が照射できるようにしている。あるいは、照射領域を微調整したい場合は、コマ位置指示マーク２１を基準にして任意の位置に設置可能である。
【００４１】
図６に示す長手方向の側面図のように３５ｍｍ写真フィルム６は、原稿台ガラス４とフィルム用光源ユニット１０３との間に挟まれて、それぞれに接するように置かれている。
【００４２】
図７に示すように短手方向の側面図を用いて、３５ｍｍ写真フィルム６の反りを矯正する様子を説明する。図７中に示すフィルム用光源ユニット１０３の寸法Ｂは、フィルムガイド１０２の矩形穴の寸法Ａよりも僅かに小さく、フィルム用光源ユニット１０３はフィルムガイド１０２にちょうど収まる寸法に設計されている。
原稿台ガラス４上には反った３５ｍｍ写真フィルム６が置かれており、フィルム用光源ユニット１０３を上から置くと（図７（ｂ））、フィルム用光源ユニット１０３の自重で反りが矯正される。
【００４３】
ところでゴム材３０は、そのゴム材の軟らかい特性により原稿台ガラス４とフィルムガイド１０２の間の隙間をなくし、３５ｍｍ写真フィルム６がフィルムガイド１０２の下面に潜り込むのを防ぐ働きをする。更に、該ゴム材の摩擦係数が大きいことから、３５ｍｍ写真フィルム６が潜り込むのを防ぐ働きが高まる。仮にゴム材３０がなければ、図８に示すように３５ｍｍ写真フィルム６がフィルムガイド１０２の下面に潜り込み易くなる。なお、図７では３５ｍｍ写真フィルム６の短手方向の矯正の様子を示したが、長手方向の矯正についても同様である。
【００４４】
ここで図９は、従来例のフィルムガイドを示す。従来例のフィルムガイド３１は図９に示されるように３５ｍｍ写真フィルムを挟み込む方式である。図１０に示す側面設置図から分かるように、３５ｍｍ写真フィルム（６）の端部は従来例のフィルムガイド３１に乗り上げており、フィルム用光源ユニット（１０３）が上から押さえても、完全に原稿台ガラス（４）上に設置できない。この状態ではポイント３２に示す位置で、原稿台ガラス（４）から少し浮いており、この位置で焦点ぼけが発生し易い。
【００４５】
この原稿台ガラス４からの浮きをなくすために、本実施形態では図４あるいは図７から良く分かるように、３５ｍｍ写真フィルム６はフィルムガイド１０２には取り付けらておらず、ただ原稿台ガラス４上に置かれているだけである。
【００４６】
図４および図６に示すポイント２５は、Ｒ（アール）加工を表している。フィルム用光源ユニット１０３の３５ｍｍ写真フィルム６に接する辺には、ポイント２５が指し示すようにＲ加工が施されている。これは接触時に３５ｍｍ写真フィルム６を傷つけるのを防ぐためである。ポイント２５の対面側の辺にも同様にＲ加工が施されている。本実施形態では、これら短手方向の２辺だけに適用しているが、４辺すべてにＲ加工を施しても良い。
【００４７】
仮に上記のようなＲ加工がないと、フィルム用光源ユニット１０３の３５ｍｍ写真フィルム６に接する辺の角部に荷重が集中して、３５ｍｍ写真フィルム６を傷つけ易くなってしまう。この例では、Ｒ＝０．６ｍｍとしている。これは、面光源ユニットの重量が約１５０ｇと軽いことと、操作時に面光源ユニットを大きく動かさないという理由で、Ｒ＝０．６ｍｍ程度の小さいＲでも効果がある。
【００４８】
フィルム用光源ユニット１０３とフィルムガイド１０２は図４および図６から分かるように、フィルム用光源ユニット１０３下面の三角状加工２３とフィルムガイド１０２上面の三角状加工２２とが噛み合っいて、横滑りし難い構造にしている。これは、フィルム用光源ユニット１０３の設置時に不意に３５ｍｍ写真フィルム６に接したままで滑らせてしまうのを防止するためである。さらに、設置後にも不意に手で触ったりして横滑りを起こすことを防ぎ、不意な横滑りによって３５ｍｍ写真フィルム６に擦り傷がついたり、照射位置がずれるのを防止するためである。
【００４９】
ただし、三角状加工２２，２３完全に噛み合ってしまうとフィルム用光源ユニット１０３が３５ｍｍ写真フィルム６に加重することが不十分になる。そして、３５ｍｍ写真フィルム６の反りを矯正するのが困難になるので、両者の噛み合わせ部に少し隙間ができるようにフィルム用光源ユニット１０３の高さを設計している。
【００５０】
上記構成において３５ｍｍ写真フィルム６が設置され、図１の画像読取装置はその３５ｍｍ写真フィルム６の読取動作を行う。
フィルム用光源ユニット１０３から発せられたＬＥＤの光は、３５ｍｍフィルムを透過し、ロッドレンズアレイ１５により光電変換素子アレイ１４上に投射させられる。前述の反射原稿での読み取りと同様に、読み取りユニット１の移動に連れて、各フィルム用ＬＥＤ１８，１９，２０を順次点灯させる。一方、フィルム用光源ユニット１０３は移動せず、読み取りユニット１だけが移動して３５ｍｍ写真フィルム６を走査する。
【００５１】
（第２の実施形態）
つぎに、本発明の第２の実施形態を説明する。
図１１は、第２の実施形態におけるフィルム用光源ユニット１０３およびフィルムガイド１０２の構成例を示している。フィルム用光源ユニット１０３には位置決め凸部２６が、またフィルムガイド１０２には位置決め凹部２７が３５ｍｍ写真フィルム６の１コマ間隔で用意されている。
【００５２】
第２の実施形態において３５ｍｍ写真フィルムを読み取る場合、３５ｍｍ写真フィルム６の端部をフィルム設置規制板２８に突き当てて設置する。各コマ位置に対応した位置決め凸部２６および位置決め凹部２７を組み合わせて選択し、フィルム用光源ユニット１０３を設置することで、所望のコマにフィルム用光源ユニット１０３を設置可能となる。
【００５３】
（第３の実施形態）
つぎに、本発明の第３の実施形態を説明する。
第３の実施形態では図１２に示すように、第１の実施形態における図４に示す三角状加工２２，２３を波型にしている。この場合、これに類似の形状も可能であり、また連続していなくて不連続でもあってもよく三角状、波状、あるいは類似の形状の加工を多数個施すことにより同様の横滑り防止効果が得られる。あるいはゴム材や発泡材のような、柔軟で摩擦係数の大きい部材を貼り付けることでも実施可能である。
【００５４】
【発明の効果】
以上説明したように本発明によれば、面光源ユニットが透過原稿を原稿台ガラス上に押さえつけて設置する方式の透過原稿の画像読取装置において、透過原稿の反りを矯正し、焦点の設計中心位置である原稿台ガラス上にぴったりと透過原稿を設置することで、適正に画像を読み取ることができる。
また、光源ユニットの設置時や設置後に光源ユニットが透過原稿上を横滑りして透過原稿を傷つけたり、照射位置がずれることを防ぎ、さらに、操作者は容易に所望の画像に光源ユニットを位置合わせすることができる。また、光源ユニットの設置時や設置後において、光源ユニットが透過原稿を傷つけるのを有効に防止することができる等の利点を有する。
【図面の簡単な説明】
【図１】本発明の第１の実施形態における画像読取装置の基本的な構成を表す概略図である。
【図２】本発明の第１の実施形態における画像読取装置の読み取りユニットの構成図である。
【図３】本発明の第１の実施形態における読み取りユニットのロッドレンズの特性を示す図である。
【図４】本発明の第１の実施形態におけるフィルムガイドとフィルム光源ユニットの構成を示す図である。
【図５】本発明の第１の実施形態におけるフィルムガイドとフィルム光源ユニットの裏面図である。
【図６】本発明の第１の実施形態における３５ｍｍ写真フィルムの長手方向における設置の側面図である。
【図７】本発明の第１の実施形態における３５ｍｍ写真フィルムの短手方向における設置の側面図である。
【図８】本発明の第１の実施形態における弾性部材の機能を説明する図である。
【図９】従来例におけるフィルムガイドを示す図である。
【図１０】従来例におけるフィルムガイドを用いた３５ｍｍ写真フィルム設置の側面図である。
【図１１】本発明の第２の実施形態におけるフィルムガイドとフィルム光源ユニットの構成を示す図である。
【図１２】本発明の第３の実施形態におけるフィルムガイドとフィルム光源ユニットの構成を示す図である。
【符号の説明】１…読み取りユニット、２…ステッピングモーター、３…ベルト、４…原稿台ガラス、５…制御基板、６…３５ｍｍ写真フィルム、７…白色基準板兼・原稿規制板、８…フラットケーブル、９…外部コンピューター、１０…赤色ＬＥＤ、１１…緑色ＬＥＤ、１２…青色ＬＥＤ、１３…導光体、１４…光電変換素子アレイ、１５…ロッドレンズアレイ、１６…基板、１７…拡散板、１８…フィルム用赤色ＬＥＤ、１９…フィルム用緑色ＬＥＤ、２０…フィルム用青色ＬＥＤ、２１…コマ位置指示マーク、２２，２３…三角状の加工、２４…設置基準マーク、２５…Ｒ加工、１０１…ホルダー、１０２…ガイド、１０３…フィルム用光源ユニット、１０４…ケーブル、１０５…原稿規制板。
【図１】
2004085926.tif 000004
【図２】
2004085926.tif 000005
【図３】
2004085926.tif 000006
【図４】
2004085926.tif 000007
【図５】
2004085926.tif 000008
【図６】
2004085926.tif 000009
【図７】
2004085926.tif 000010
【図８】
2004085926.tif 000011
【図９】
2004085926.tif 000012
【図１０】
2004085926.tif 000013
【図１１】
2004085926.tif 000014
【図１２】
2004085926.tif 000015